(57)【特許請求の範囲】
【請求項１】
基端が固定された内筒部材と、該内筒部材の外周上を移動する外筒部材と、前記内筒部材と前記外筒部材との間に内装されて、外筒部材を内筒部材との摩擦抵抗により内筒部材外周上の任意の位置に位置決め可能な抵抗手段と、を備え、前記抵抗手段は、径方向に拡縮自在なガイド部材と、該ガイド部材を軸芯方向に付勢する弾性部材とからなることを特徴とする吐水具等の位置調節装置。
【請求項２】
基端が固定された内筒部材と、該内筒部材の外周上を移動する外筒部材と、前記内筒部材と前記外筒部材との間に内装されて、外筒部材を内筒部材との摩擦抵抗により内筒部材外周上の任意の位置に位置決め可能な抵抗手段と、を備え前記抵抗手段は、前記内筒部材の少なくとも外周部に設けた磁性体と、該磁性体に吸着する磁石とからなることを特徴とする吐水具等の位置調節装置。
【請求項３】
前記抵抗手段は、前記内筒部材外周部の任意の位置のみに摩擦抵抗を作用させる操作手段を備えてなることを特徴とする請求項１又は２記載の吐水具等の位置調節装置。
【請求項４】
前記操作手段は、前記外筒部材の移動時に前記ガイド部材を前記弾性部材による付勢力に抗して拡径し、前記内筒部材外周部の任意の位置にてガイド部材の拡径を解除することを特徴とする請求項３記載の吐水具等の位置調節装置。
【請求項５】
前記操作手段は、前記ガイド部材の径方向に拡縮させるために一部削除したスリット部に設けた受け部と、該受け部に係合する係合部を有する操作部材とからなることを特徴とする請求項４記載の吐水具等の位置調節装置。
【請求項６】
前記操作手段は、前記外筒部材の移動時に前記磁性体と前記磁石との吸着を解除し、前記内筒部材外周部の任意の位置にて磁石に励磁して磁石を磁性体に吸着させることを特徴とする請求項３記載の吐水具等の位置調節装置。
【請求項７】
前記内筒部材は、カウンター等の取り付け部材に固定される支持部材の先端部に固定されるとともに、前記外筒部材の先端部には吐水口部材が設けられ、該吐水口部材に内筒部材及び支持部材の内部を介して湯水供給管が連通接続されてなることを特徴とする請求項１乃至請求項６のいずれかに１項に記載の吐水具等の位置調節装置。
【請求項８】
前記吐水口部材は、前記外筒部材の先端部に着脱自在に設けられるとともに、前記湯水供給管がフレキシブル管にて構成されてなることを特徴とする請求項７記載の吐水具等の位置調節装置。
【発明の詳細な説明】
【０００１】
【発明の属する技術分野】
本発明は、吐水具等を移動可能にしてその移動位置を調節することができる位置調節装置に関する。
【０００２】
【従来の技術】
従来、例えば吐水具等の位置調節装置として図９に示すものがある。
【０００３】
このものは、吐水管１００の先端部にガイドスリーブ１０１が螺着されており、そのガイドスリーブ１０１に筒状ナット１０２が螺着されている。また、ガイドスリーブ１０１には、先端部に吐水口部材１０４を備えたパイプ部１０３が摺動自在に嵌合されている。
【０００４】
【発明が解決しようとする課題】
しかしながら、上記従来のものは、パイプ部１０３をガイドスリーブ１０１から引き出して伸長させたり、押し込んで縮めて所定の位置に固定する場合は、一度筒状ナット１０２を回してガイドスリーブ１０１から緩めてから伸縮させて、再度筒状ナット１０２を回してガイドスリーブ１０１に固く締め付けて螺着しなければならなかった。
【０００５】
従って、パイプ部１０３を伸縮させて任意の位置で固定しようとすると、その動作が複雑で面倒であり、かつ時間がかかるという問題があった。
【０００６】
本発明は、上記問題点を解消し、簡単な動作で吐水具等を伸縮させて任意の位置で保持させることができる吐水具等の位置調節装置を提供することを目的とする。
【０００７】
【課題を解決するための手段およびその作用・効果】
本発明は、基端が固定された内筒部材と、該内筒部材の外周上を移動する外筒部材と、前記内筒部材と前記外筒部材との間に内装されて、外筒部材を内筒部材との摩擦抵抗により内筒部材外周上の任意の位置に位置決め可能な抵抗手段と、を備え、前記抵抗手段は、径方向に拡縮自在なガイド部材と、該ガイド部材を軸芯方向に付勢する弾性部材とからなることを特徴としている。
【０００８】
従って、内筒部材との摩擦抵抗によって外筒部材を内筒部材の外周上を移動させるので、外筒部材を動かすだけの簡単な動作で内筒部材の任意の位置に外筒部材を保持することができ、使い勝手が大幅に向上する。
【０００９】
抵抗手段は、径方向に拡縮自在なガイド部材と、該ガイド部材を軸芯方向に付勢するばね等の弾性部材とから構成しているので、簡単な構造で内筒部材の任意の位置に外筒部材を確実に保持することができる。
【００１０】
基端が固定された内筒部材と、該内筒部材の外周上を移動する外筒部材と、前記内筒部材と前記外筒部材との間に内装されて、外筒部材を内筒部材との摩擦抵抗により内筒部材外周上の任意の位置に位置決め可能な抵抗手段と、を備え前記抵抗手段は、前記内筒部材の少なくとも外周部に設けた磁性体と、該磁性体に吸着する磁石とから構成してもよく、この場合も簡単な構造で内筒部材の任意の位置に外筒部材を確実に保持することができる。
【００１１】
また、抵抗手段は、内筒部材外周部の任意の位置のみに摩擦抵抗を作用させる操作手段を備えていることにも特徴を有する。
【００１２】
従って、内筒部材外周部の任意の位置まで外筒部材を移動させる際は、外筒部材に摩擦抵抗が作用しないので外筒部材を楽に移動させることができ、特に、比較的力の弱い子供や高齢者にとっては、外筒部材を非常に楽な動作で伸縮させることができ、かつ任意の位置で外筒部材をより強固に保持することができるので、使い勝手性が更に向上する。
【００１３】
また、操作手段は、外筒部材の移動時にガイド部材を弾性部材による付勢力に抗して拡径し、内筒部材外周部の任意の位置にてガイド部材の拡径を解除するようにしたので、外筒部材を楽に移動させることができるとともに任意の位置でより強固に保持することができ、操作性が向上する。
【００１４】
更に、操作手段は、ガイド部材の径方向に拡縮させるために一部削除したスリット部に設けた受け部と、受け部に係合する係合部を有する操作部材とから構成したので、簡単な構造で外筒部材を楽に移動させることができるとともに任意の位置でより強固に保持することができる。
【００１５】
また、操作手段は、外筒部材の移動時に磁性体と磁石との吸着を解除し、内筒部材外周部の任意の位置にて磁石に励磁して磁石を磁性体に吸着させるようにしてもよく、この場合も同様に、外筒部材を楽に移動させることができるとともに任意の位置でより強固に保持することができるので、使い勝手性が更に向上する。
【００１６】
また、内筒部材は、カウンター等の取り付け部材に固定される支持部材の先端部に固定されるとともに、外筒部材の先端部には吐水口部材が設けられ、該吐水口部材に内筒部材及び支持部材の内部を介して湯水供給管が連通接続されてなることを特徴としている。
【００１７】
従って、外筒部材の先端部に設けられた吐水口部材は、任意の位置に伸縮できるとともに回動自在なので、台所や洗面台等で使用する場合には、必要に応じて吐水位置や吐水方向を変えることができ、洗浄等の作業能率が非常に向上する。
【００１８】
また、吐水口部材は外筒部材の先端部に着脱自在に設けられるとともに、湯水供給管はフレキシブル管にて構成しているので、吐水口部材を外筒部材から単独で引き出して使用することができ、広範囲での洗浄等の作業が能率よく行え、使い勝手性が更に向上する。
【００１９】
【発明の実施の形態】
図１は、本発明を洗面台のカウンターに設置した吐水具に適用した第一実施例を示す一部切り欠き断面図であり、取り付け部材の例である洗面台のカウンターＢに吐水具Ａが設置されている。図２は、その要部を示す拡大断面図である。
【００２０】
吐水具Ａは、カウンターＢに配設した支持部材３２の先端部に設けられており、内筒部材１と、内筒部材１の外周面１ａ上を移動する外筒部材２と、内筒部材１と外筒部材２との間に内装される抵抗手段３と、外筒部材２の先端部に着脱自在に設けられる吐水口部材の例であるシャワーヘッド４及びシャワーヘッド４の基端部に連結される湯水供給管２０とから構成している。
【００２１】
そして、外筒部材２は、先端部にシャワーヘッド４が着脱自在に設けられると共に後端部に雌ねじ２ｂを設けたカバー体２ａと、カバー体２ａの雌ねじ２ｂに螺合する雄ねじ２ｄを設けると共にその反対側の開放部に雌ねじ２ｅを設けたガイドスリーブ２ｃと、ガイドスリーブ２ｃの雌ねじ２ｅに螺合する雄ねじ２ｈを設けたストッパー体２ｇとを備えている。
【００２２】
また、抵抗手段３は、図１及び図２に示すように、ストッパー体２ｇに設けたストッパー部２ｉとガイドスリーブ２ｃに設けたガイド規制部２ｆとの間に介在されており、合成樹脂製のガイド５と割りリング状のばね６とから構成している。ガイド５は、図２に示すように、径方向に拡縮するように軸線方向にスリット５ａを設けていると共に外周に設けた溝５ｂに弾性部材であるばね６を嵌合させている。このようにして、ばね６の適度な弾性力によりガイド５を内筒部材１に対して内筒部材１の軸芯方向に適度な付勢力にて付勢している。
【００２３】
支持部材３２は、カウンターＢに固定した保持装置３１と、保持装置３１内を上下方向に昇降する支持管３０ｂを基端部に連結したホルダー３０とから構成されており、支持管３０ｂが保持装置３１の図示しない保持手段により高さ調整可能に保持されるようになっている。
【００２４】
また、シャワーヘッド４の基端部に連結したフレキシブル管からなる湯水供給管２０は、内筒部材１及びホルダー３０の内部を通してカウンターＢ下方の空間にたるみを持たせて垂らすとともにカウンターＢに設置した図示しない湯水混合栓の混合水出口に連結している。
【００２５】
以上の構成において、内筒部材１の基端部に設けた雄ねじ１ｂをホルダー３０の先端部に設けた雌ねじ３０ａに螺合すると共に、内筒部材１に対して抵抗手段３と共に外筒部材２を外装しており、図１においては、内筒部材１の雄ねじ１ａ末端に設けた環状のフランジ部１ｃにストッパー体２ｇのストッパー部２ｉが当接して、外筒部材２の左方向への移動を規制した状態である。図１から外筒部材２を手で右方向に動かすと、抵抗手段３がストッパー体２ｇのストッパー部２ｉに押されて内筒部材１外周面１ａとの適度な摩擦抵抗を受けながら移動し、任意の位置にて手を離すと、抵抗手段３の内筒部材１軸芯方向への適度な付勢力によりその位置に外筒部材２及び外筒部材２の先端部に設けられるシャワーヘッド４が確実に保持されることになる。尚、１６は内筒部材１の先端部に設けたストッパー部であり、外筒部材２を右方向に動かしていくとガイド規制部２ｆがこのストッパー部１６に当たり、外筒部材２が内筒部材１から抜け出ないようになっている。また、外筒部材２が内筒部材１上を移動する際のガイドや、外筒部材２と内筒部材１との間に水等が浸入するのを防止する役目も果たす。
【００２６】
以上のように構成することにより、使用者は、シャワーヘッド４の最適な位置にてシャワーヘッド４の図示しない吐水口からの吐水により、給水・洗浄等の作業を容易に行うことができる。
【００２７】
また、外筒部材２は、図において左右方向に移動自在なだけでなく、内筒部材１の周方向に対しても回動自在なので、必要に応じて吐水方向を変えることができ、給水・洗浄等の作業を効率良く行うことができる。更に、シャワーヘッド４は外筒部材２の先端部に着脱自在に設けられるとともに、湯水供給管２０はフレキシブル管にて構成しているので、シャワーヘッド４を外筒部材２から単独で引き出して使用することができ、広範囲での洗浄等の作業が能率よく行え、使い勝手性を更に向上させることができる。
【００２８】
図３は、第二実施例を示す一部切り欠き断面図であり、図４は、その要部を示す拡大断面図である。前述した実施例と同様の構成は同一の符号にて示し、その説明は省略する。
【００２９】
この実施例は、抵抗手段３に操作手段７を設けたものであり、図３及び図４に示すように、ストッパー体２ｇに設けたストッパー部２ｉとガイドスリーブ２ｃに設けたガイド規制部２ｆとの間に操作部材であるボタン８を内装している。
【００３０】
ボタン８は、上部に手で押圧する押圧部８ａと、その下部に形成した押圧部８ａより大径のフランジ部８ｂと、その下部に楔状に形成した係合部８ｃとから構成されており、押圧部８ａをガイドスリーブ２ｃに開設した開口１１を挿通して突出させると共に、フランジ部８ｂをガイドスリーブ２ｃ内周面から内方に向けて垂設した一対のガイド部９、９間に上下動自在に介在させている。
【００３１】
また、係合部８ｃは、ガイド５のスリット５ａ部から突出形成した受け部１０に係合させている。尚、開口１１は押圧部８ａが挿通できる大きさで、かつフランジ部８ｂより小さい大きさとして、ボタン８がガイドスリーブ２ｃから抜け出ないようにしている。また、カバー体２ａとガイドスリーブ２ｃの固定は、カバー体２ａ後端部の一部とガイドスリーブ２ｃ先端部の一部とを合わせた状態で、下方側からビス１２により固定するようにしている。これは図３において、シャワーヘッド４の図示しない吐水口が下方を向き、ボタン８が上方に位置するようにするためである。
【００３２】
以上の構成において、ボタン８を押すと、楔状の係合部８ｃが受け部１０のスリット５ａを押し開くように作用し、ガイド５がばね６の弾性力に坑して拡径し内筒部材１に対して付勢力が働かない状態となる。このボタン８を押したままの状態で、図３から外筒部材２を右方向に動かすと、ガイド５が内筒部材１外周面１ａとの摩擦抵抗を受けないので、外筒部材２はスムースに移動し、使用者が設定したい位置にて手を離すと、再びばね６の弾性力によりガイド５が縮径して受け部１０がボタン８を押し上げ、ガイド５が内筒部材１に対して適度な付勢力が働くので、その位置に外筒部材２及び外筒部材２の先端部に設けられるシャワーヘッド４がより強固に保持されることになる。
【００３３】
このように構成すれば、外筒部材２を移動させるときは外筒部材２に摩擦抵抗が作用しないので、外筒部材２を楽に移動させることができ、特に、比較的力の弱い子供や高齢者にとっては、外筒部材２を非常に楽な動作で伸縮させることができ、かつ任意の位置で確実に保持することができるので、使い勝手性が更に向上する。
【００３４】
図５は、抵抗手段の変形例を示す一部切り欠き断面図であり、前述した実施例と同様の構成は同一の符号にて示し、その説明は省略する。
【００３５】
即ち、抵抗手段１３は、内筒部材１の外周面１ａに形成したステンレス等の磁性体１４と、磁性体１４に適度な吸着力により吸着する磁石１５とから構成されている。また、外筒部材２をカバー体２ａと、ストッパー体を一体に形成したガイドスリーブ２ｊとの２部材で構成している。
【００３６】
そして、磁石１５をガイドスリーブ２ｊに一体に設けたストッパー部２ｋとガイド規制部２ｆとの間に内装している。尚、磁性体１４を内筒部材１の外周面１ａに形成したが、内筒部材１自体を磁性体で形成するようにしてもよい。
【００３７】
以上の構成において、図５から外筒部材２を手で右方向に動かすと、磁石１５がガイドスリーブ２ｊのストッパー部２ｋに押されて内筒部材１外周面１ａに形成した磁性体１４との適度な摩擦抵抗を受けながら移動し、任意の位置にて手を離すと、磁石１５の磁性体１４への適度な吸着力によりその位置に外筒部材２及び外筒部材２の先端部に設けられるシャワーヘッド４が確実に保持されることになる。
【００３８】
以上の構成によれば、使用者は、シャワーヘッド４の最適な位置にてシャワーヘッド４の図示しない吐水口からの吐水により、給水・洗浄等の作業を容易に行うことができ、また、外筒部材２は内筒部材１の周方向に対しても回動自在なので、必要に応じて吐水方向を変えることができ、給水・洗浄等の作業を更に効率良く行うことができる。
【００３９】
図６は、第三実施例を示す一部切り欠き断面図であり、前述した実施例と同様の構成は同一の符号にて示し、その説明は省略する。
【００４０】
この実施例も、抵抗手段２３に操作手段１７を備えたものであり、図６に示すように、操作手段１７は外筒部材２に設けられたボタン１８と、スイッチ部１９とから構成されている。
【００４１】
ボタン１８は、外筒部材２のガイドスリーブ２ｊに開設した開口２１に挿入した端子部１８ｂと、開口２１よりも大きな外郭を持った操作部１８ａとから構成されている。また、スイッチ部１９は、ガイドスリーブ２ｊのストッパー部２ｋとガイド規制部２ｆとの間に内装されており、スイッチ部１９から導出されたリード線２０が、ホルダー３０内部を通ってカウンターＢ下方部の図示しない電源に接続されている。尚、端子部１８ｂはガイドスリーブ２ｊの周方向において、開口２１よりも大きな図示しない鍔部を設けており、ボタン１８がガイドスリーブ２ｊから抜け出ないようになっている。また、前述した実施例と同様に、カバー体２ａとガイドスリーブ２ｊの固定は、カバー体２ａ後端部の一部とガイドスリーブ２ｊ先端部の一部とを合わせた状態で、下方側からビス２２により固定するようにしている。
【００４２】
一方、抵抗手段１３は、内筒部材１の外周面１ａに形成したステンレス等の磁性体１４と、磁性体１４に励磁により吸着する電磁石２５とから構成されている。そして、電磁石２５をガイドスリーブ２ｊのストッパー部２ｋとガイド規制部２ｆとの間に内装している。また、電磁石２５はスイッチ部１９に接続されている。尚、磁性体１４を内筒部材１の外周面１ａに形成したが、内筒部材１自体を磁性体で形成するようにしてもよい。
【００４３】
以上の構成において、ボタン１８の操作部１８ａはガイドスリーブ２ｊ外周上を軸線方向にスライドできるようになっており、ボタン１８をシャワーヘッド４方向にスライドさせると、ボタン１８の端子部１８ｂとスイッチ部１９に内設した図示しない端子部とが離れて非通電状態となって電磁石２５が非励磁状態となり、電磁石２５が磁性体１４に吸着しない状態となる。そして、ボタン１８を逆方向にスライドさせると、ボタン１８の端子部１８ｂとスイッチ部１９に内設した図示しない端子部とが一致して通電状態となって電磁石２５が励磁状態となり、電磁石２５が磁性体１４に吸着するようになる。
【００４４】
図６において、ボタン１８はシャワーヘッド４方向にスライドさせた非通電状態で、電磁石２５が磁性体１４に吸着していない状態である。この状態で操作部１８ａを押したまま外筒部材２を右方向に動かすと、電磁石２５が磁性体１４との摩擦抵抗を受けないので、外筒部材２はスムースに移動し、使用者が設定したい位置にてボタン１８を逆方向にスライドさせると、通電状態となり電磁石２５が励磁されて磁性体１４に電磁石２５が吸着されるので、その位置に外筒部材２及び外筒部材２の先端部に設けられるシャワーヘッド４がより強固に保持されることになる。
【００４５】
このように構成すれば、外筒部材２を移動させるときは外筒部材２に摩擦抵抗が作用しないので、簡単な操作で外筒部材２を楽に移動させることができ、特に、比較的力の弱い子供や高齢者にとっては、外筒部材２を非常に楽な動作で伸縮させることができ、かつ任意の位置で確実に保持することができるので、使い勝手性が更に向上する。
【００４６】
図７は、第四実施例を示す一部切り欠き断面図であり、図８は、その要部を示す拡大断面図である。前述した実施例と同様の構成は同一の符号にて示し、その説明は省略する。
【００４７】
この実施例は、外筒部材２のストッパー体２ｇにガイド５５を一体に形成したものであり、このガイド５５とばね６とで抵抗手段３３を構成している。
【００４８】
ガイド５５は、径方向に拡縮するように軸線方向にスリット２８を数個設け、外周に設けた溝２９に弾性部材であるばね６を嵌合させている。このようにして、ばね６の適度な弾性力によりガイド５５を内筒部材１に対して内筒部材１の軸芯方向に適度な付勢力にて付勢している。
【００４９】
尚、２６は内筒部材１の先端部に設けたストッパー部であり、外筒部材２を右方向に動かしていくとガイド５５の先端部がこのストッパー部２６に当たり、外筒部材２が内筒部材１から抜け出ないようになっている。また、外筒部材２が内筒部材１上を移動する際のガイドや湯水供給管２０が移動する際のガイドとしての役目を果たす。また、外筒部材２と内筒部材１との間や内筒部材１内に水等が浸入するのを防止する役目も果たす。
【００５０】
また、２７は排水孔であり、ストッパー部２６までの外筒部材２内に浸入した水等や、万が一、外筒部材２と内筒部材１との間に浸入してきた水等を排出するようにしている。
【００５１】
以上のような構成においても、使用者は、シャワーヘッド４の最適な位置にてシャワーヘッド４の図示しない吐水口からの吐水により、給水・洗浄等の作業を容易に行うことができる。
【００５２】
また、ガイド５５をストッパー体２ｇに一体形成したことにより、前述した第一実施例のようなガイドスリーブ２ｃが不要となり、部品点数が削減でき、コストの低減やがたつきの防止を図ることができる。
【００５３】
上述した内容はあくまで本発明の各実施形態に関するものであって、本発明が上記内容のみに限定されることを意味されるものでない。例えば、シャワーヘッドと外筒部材とを一体的に形成するとともに、湯水供給管を除いて内筒部材及びホルダー内を直接湯水の通水路とすることもできる。この場合、内筒部材と外筒部材の間の適所にシールパッキンを配設して通水路から外部への水漏れを防止するようにするとよい。
【図面の簡単な説明】
【図１】本発明の第一実施例を示す一部切り欠き断面図。
【図２】本発明の要部を示す拡大断面図。
【図３】本発明の第二実施例を示す一部切り欠き断面図。
【図４】第二実施例の要部を示す拡大断面図。
【図５】抵抗手段の変形例を示す一部切り欠き断面図。
【図６】本発明の第三実施例を示す一部切り欠き断面図。
【図７】本発明の第四実施例を示す一部切り欠き断面図。
【図８】第四実施例の要部を示す拡大断面図。
【図９】従来技術を示す一部切り欠き断面図。
【符号の説明】
Ａ…吐水具
Ｂ…カウンター
１…内筒部材
１ａ…外周面
１ｂ、２ｄ、２ｈ…雄ねじ
１ｃ…フランジ部
２…外筒部材
２ａ…カバー体
２ｂ、２ｅ、３０ａ…雌ねじ
２ｃ、２ｊ…ガイドスリーブ
２ｆ…ガイド規制部
２ｇ…ストッパー体
２ｉ、２ｋ…ストッパー部
３、１３、２３、３３…抵抗手段
４…シャワーヘッド（吐水口部材）
５、５５…ガイド（ガイド部材）
５ａ、２８…スリット
５ｂ、２９…溝
６…ばね（弾性部材）
７、１７…操作手段
８、１８…ボタン（操作部材）
８ａ…押圧部
８ｂ…フランジ部
８ｃ…係合部
９…ガイド部
１０…受け部
１１、２１…開口
１２、２２…ビス
１４…磁性体
１５…磁石
１６、２６…ストッパー部
１８ａ…操作部
１８ｂ…端子部
１９…スイッチ部
２０…湯水供給管
２４…リード線
２５…電磁石
２７…排水孔
３０…ホルダー
３０ｂ…支持管
３１…保持装置
３２…支持部材
【図１】
0004172067.tif 000002
【図２】
0004172067.tif 000003
【図３】
0004172067.tif 000004
【図４】
0004172067.tif 000005
【図５】
0004172067.tif 000006
【図６】
0004172067.tif 000007
【図７】
0004172067.tif 000008
【図８】
0004172067.tif 000009
【図９】
0004172067.tif 000010